(57)【要約】【課題】複数の記録ヘッドユニットを備えたラインヘッドプリンターにおける記録ヘッドユニットの故障等に起因する生産性の低下を抑制する。【解決手段】ラインヘッドプリンター１は、複数の記録ヘッドユニット７Ａ、７Ｂ、７Ｃが並ぶことでラインヘッドを構成可能なラインヘッドプリンターであって、複数の記録ヘッドユニット７Ａ、７Ｂ、７Ｃ、７Ｄが被記録媒体Ｍの搬送方向Ａと交差する方向に個別に移動可能に設けられた複数の移動軸９、１０と、記録ヘッドユニット７Ａ、７Ｂ、７Ｃ、７Ｄの移動軸９、１０に沿う移動動作と被記録媒体Ｍへの記録動作を制御する制御部２０と、を備え、記録ヘッドユニット７Ａ、７Ｂ、７Ｃ、７Ｄは、被記録媒体Ｍの最大幅を記録可能にする数より一つ以上多く設けられている。【選択図】図１
2016172377.tif 000002
【特許請求の範囲】
【請求項１】
複数の記録ヘッドユニットが並ぶことでラインヘッドを構成可能なラインヘッドプリンターであって、
複数の前記記録ヘッドユニットが被記録媒体の搬送方向と交差する方向に個別に移動可能に設けられた複数の移動軸と、
前記記録ヘッドユニットの前記移動軸に沿う移動動作と被記録媒体への記録動作を制御する制御部と、を備え、
前記記録ヘッドユニットは、前記被記録媒体の最大幅を記録可能にする数より一つ以上多く設けられている、ことを特徴とするラインヘッドプリンター。
【請求項２】
請求項１に記載のラインヘッドプリンターにおいて、
記録非実行状態の前記記録ヘッドユニットを個別に覆って保護可能な複数の保護キャップが記録実行領域外に設けられている、ことを特徴とするラインヘッドプリンター。
【請求項３】
請求項１又は２に記載のラインヘッドプリンターにおいて、
前記制御部は、前記記録ヘッドユニットの一つ以上を除いて他の記録ヘッドユニットにより前記記録動作を実行する第１記録モードを有する、ことを特徴とするラインヘッドプリンター。
【請求項４】
請求項１又は２に記載のラインヘッドプリンターにおいて、
前記制御部は、前記記録ヘッドユニットを前記移動方向において同じ位置に複数配置して前記記録動作を実行する第２記録モードを有する、ことを特徴とするラインヘッドプリンター。
【請求項５】
請求項１から４のいずれか一項に記載のラインヘッドプリンターにおいて、
前記制御部は、前記記録ヘッドユニットの一つ以上に故障等が発生した場合に、故障等が発生していない他の記録ヘッドユニットにより前記記録動作を実行する第３記録モードを有する、ことを特徴とするラインヘッドプリンター。
【請求項６】
請求項５に記載のラインヘッドプリンターにおいて、
前記第３記録モードは、前記故障等が発生した記録ヘッドユニットを前記保護キャップの位置に移動させる、ことを特徴とするラインヘッドプリンター。
【請求項７】
請求項１から６のいずれか一項に記載のラインヘッドプリンターにおいて、
前記制御部は、記録動作実行の際に使用しない記録ヘッドユニットがある場合には、記録実行に使用する記録ヘッドユニットの組み合わせを変える第４記録モードを有する、ことを特徴とするラインヘッドプリンター。
【請求項８】
請求項１から７のいずれか一項に記載のラインヘッドプリンターにおいて、
前記複数の記録ヘッドユニットの記録ヘッドをクリーニングするヘッドクリーニング部を備え、
前記ヘッドクリーニング部は、前記複数の記録ヘッドユニットの前記各移動軸と交差する方向に設けられたガイドに沿って移動し、前記複数の記録ヘッドユニットの各クリーニング位置に位置することが可能に構成されている、ことを特徴とするラインヘッドプリンター。
【請求項９】
請求項８に記載のラインヘッドプリンターにおいて、
前記ヘッドクリーニング部は、記録非実行状態の前記記録ヘッドユニットを個別に覆って保護可能な複数の保護キャップの位置と記録実行領域に対して反対側に設けられている、ことを特徴とするラインヘッドプリンター。
【請求項１０】
請求項８に記載のラインヘッドプリンターにおいて、
前記ヘッドクリーニング部は、記録非実行状態の前記記録ヘッドユニットを個別に覆って保護可能な複数の保護キャップの位置と記録実行領域に対して同じ側に設けられている、ことを特徴とするラインヘッドプリンター。
【発明の詳細な説明】
【技術分野】
【０００１】
本発明は、複数の記録ヘッドユニットが並ぶことでラインヘッドを構成可能なインクジェットプリンター等のラインヘッドプリンターに関する。
【背景技術】
【０００２】
従来のラインヘッドプリンターとして、複数の記録ヘッドユニットが被記録媒体の搬送方向と交差する方向に、複数の各移動軸に沿って個別に移動可能に設けられたものがある（特許文献１及び特許文献２）。この構造により複数の記録ヘッドユニットが各移動軸に沿って移動して被記録媒体の搬送方向と交差する方向に並ぶことでラインヘッドを構成することが可能である。
【先行技術文献】
【特許文献】
【０００３】
【特許文献１】特開２００３−１２７３５２号公報
【特許文献２】国際公開ＷＯ２００３／０７４２７７号公報
【発明の概要】
【発明が解決しようとする課題】
【０００４】
しかしながら、前記いずれの特許文献も、複数の記録ヘッドユニットの一つに故障等が発生した場合の対処については記載も示唆もされていない。その開示された構造から明らかなように、これらの特許文献に記載されたプリンターでは、記録ヘッドユニットの一つに故障等が発生した場合は、該プリンターの使用を停止して故障等が発生した記録ヘッドユニットの修理等を行うことになる。そのため、当該修理等を行っている期間中は当該プリンターを稼働することができず、生産性を低下させるという問題があった。
【０００５】
そこで、本発明の目的は、複数の記録ヘッドユニットを備えたラインヘッドプリンターにおける記録ヘッドユニットの故障等に起因する生産性の低下を抑制することにある。
【課題を解決するための手段】
【０００６】
上記課題を解決するための本発明の第１の態様に係るラインヘッドプリンターは、複数の記録ヘッドユニットが並ぶことでラインヘッドを構成可能なラインヘッドプリンターであって、複数の前記記録ヘッドユニットが被記録媒体の搬送方向と交差する方向に個別に移動可能に設けられた複数の移動軸と、前記記録ヘッドユニットの前記移動軸に沿う移動動作と被記録媒体への記録動作を制御する制御部と、を備え、前記記録ヘッドユニットは、前記被記録媒体の最大幅を記録可能にする数より一つ以上多く設けられていることを特徴とする。
【０００７】
本発明の第２の態様は、第１の態様のラインヘッドプリンターにおいて、記録非実行状態の前記記録ヘッドユニットを個別に覆って保護可能な複数の保護キャップが記録実行領域外に設けられていることを特徴とする。
【０００８】
本発明の第３の態様は、第１の態様又は第２の態様のラインヘッドプリンターにおいて、前記制御部は、前記記録ヘッドユニットの一つ以上を除いて他の記録ヘッドユニットにより前記記録動作を実行する第１記録モードを有することを特徴とする。
【０００９】
本発明の第４の態様は、第１の態様又は第２の態様のラインヘッドプリンターにおいて、前記制御部は、前記記録ヘッドユニットを前記移動方向において同じ位置に複数配置して前記記録動作を実行する第２記録モードを有することを特徴とする。
【００１０】
本発明の第５の態様は、第１の態様から第４の態様のいずれか一つの態様のラインヘッドプリンターにおいて、前記制御部は、前記記録ヘッドユニットの一つ以上に故障等が発生した場合に、故障等が発生していない他の記録ヘッドユニットにより前記記録動作を実行する第３記録モードを有することを特徴とする。
【００１１】
本発明の第６の態様は、第５の態様のラインヘッドプリンターにおいて、前記第３記録モードは、前記故障等が発生した記録ヘッドユニットを前記保護キャップの位置に移動させることを特徴とする。
【００１２】
本発明の第７の態様は、第１の態様から第６の態様のいずれか一つの態様のラインヘッドプリンターにおいて、前記制御部は、記録動作の実行の際に使用しない記録ヘッドユニットがある場合には、記録実行に使用する記録ヘッドユニットの組み合わせを変える第４記録モードを有することを特徴とする。
【００１３】
本発明の第８の態様は、第１の態様から第７の態様のいずれか一つの態様のラインヘッドプリンターにおいて、前記複数の記録ヘッドユニットの記録ヘッドをクリーニングするヘッドクリーニング部を備え、前記ヘッドクリーニング部は、前記複数の記録ヘッドユニットの前記各移動軸と交差する方向に設けられたガイドに沿って移動し、前記複数の記録ヘッドユニットの各クリーニング位置に位置することが可能に構成されていることを特徴とする。
【００１４】
本発明の第９の態様は、第８の態様のラインヘッドプリンターにおいて、前記ヘッドクリーニング部は、記録非実行状態の前記記録ヘッドユニットを個別に覆って保護可能な複数の保護キャップの位置と記録実行領域に対して反対側に設けられていることを特徴とする。
【００１５】
本発明の第１０の態様は、第８の態様のラインヘッドプリンターにおいて、前記ヘッドクリーニング部は、記録非実行状態の前記記録ヘッドユニットを個別に覆って保護可能な複数の保護キャップの位置と記録実行領域に対して同じ側に設けられていることを特徴とする。
【図面の簡単な説明】
【００１６】
【図１】本発明の実施形態１に係るラインヘッドプリンターを表す概略平面図。
【図２】本発明の実施形態１に係るラインヘッドプリンターを表す概略側断面図。
【図３】（Ａ）（Ｂ）は本発明の実施形態１に係るラインヘッドプリンターを表す第２記録モード実行状態の平面図。
【図４】（Ａ）（Ｂ）は本発明の実施形態１に係るラインヘッドプリンターを表す第３記録モード実行状態の平面図。
【図５】（Ａ）から（Ｄ）は本発明の実施形態１に係るラインヘッドプリンターを表す第４記録モード実行状態の平面図。
【図６】本発明の実施形態１に係るラインヘッドプリンターの電気的な構成を表すブロック図。
【図７】本発明の実施形態１に係るラインヘッドプリンターの制御部で行う動作の一例を表すブロック図。
【図８】本発明の実施形態２に係るラインヘッドプリンターを表す平面図。
【図９】（Ａ）は本発明の実施形態１においてクリーニングの実行を説明する要部概略拡大平面図、（Ｂ）は同要部拡大正面図。
【図１０】本発明の実施形態１においてクリーニング実行状態の要部概略側断面図。
【図１１】本発明の実施形態３に係るラインヘッドプリンターを表す平面図。
【発明を実施するための形態】
【００１７】
以下に、本発明の実施形態に係るラインヘッドプリンターについて、添付図面を参照して詳細に説明する。  
尚、以下の説明では、最初に実施形態１に係るラインヘッドプリンターを例にとって、本発明のラインヘッドプリンターの概略構成とその電気的な構成について説明する。次に該実施形態１に係るラインヘッドプリンターの具体的構成と当該ラインヘッドプリンターを使用することによって実行される４つの記録モードについて具体的に説明する。また、一部の構成を異ならせた実施形態２と実施形態３に係るラインヘッドプリンターの構成を前記実施形態１との差異を中心に具体的に説明する。
【００１８】
◆◆実施形態１◆◆（図１〜図７参照）
図１及び図２に表したように、本実施形態に係るラインヘッドプリンター１Ａは、被記録媒体Ｍを搬送方向Ａに搬送する搬送部３と、該搬送部３による被記録媒体Ｍの搬送方向Ａと交差する被記録媒体Ｍの幅方向Ｂに複数の記録ヘッドユニット７Ａ、７Ｂ、７Ｃが並ぶことでラインヘッドを構成する記録実行部５と、を備えたインクジェット方式のラインヘッドプリンターである。  
そして、前記ラインヘッドプリンター１Ａは、複数の記録ヘッドユニット７Ａ、７Ｂ、７Ｃ、７Ｄが被記録媒体Ｍの搬送方向Ａと交差する被記録媒体Ｍの幅方向Ｂに個別に移動可能に一例として２本ずつ設けられた複数の移動軸９Ａ、９Ｂ、９Ｃ、９Ｄ及び１０Ａ、１０Ｂ、１０Ｃ、１０Ｄと、前記記録ヘッドユニット７Ａ、７Ｂ、７Ｃ、７Ｄの前記移動軸９Ａ、９Ｂ、９Ｃ、９Ｄ及び１０Ａ、１０Ｂ、１０Ｃ、１０Ｄに沿う移動動作と被記録媒体Ｍへの記録動作を制御する制御部２０とを備えている。
【００１９】
また、複数の記録ヘッドユニット７Ａ、７Ｂ、７Ｃ、７Ｄは、使用が想定される被記録媒体Ｍの最大幅を記録可能にする数（図示の実施形態では７Ａ、７Ｂ、７Ｃの三つ）より一つ以上（図示の実施形態では７Ｄの一つ）多く設けられている。  
また、記録実行状態において、記録ヘッドユニット７Ａ、７Ｂ、７Ｃ、７Ｄ（図示の実施形態では７Ａ、７Ｂ、７Ｃ）が存する記録実行領域Ｄの一例として右外方の領域Ｅには、記録非実行状態の前記記録ヘッドユニット７Ａ、７Ｂ、７Ｃ、７Ｄ （図示の実施形態では７Ｄ）を個別に覆って保護可能な複数の保護キャップ１３Ａ、１３Ｂ、１３Ｃ、１３Ｄが設けられている。
【００２０】
ここで、本明細書で使用する「ラインヘッド」とは、記録実行時に記録ヘッドユニット７Ａ、７Ｂ、７Ｃ、７Ｄが被記録媒体Ｍの搬送方向Ａに交差する被記録媒体Ｍの幅方向Ｂには移動しないで並んでいる構造をいう。  
「記録ヘッドユニット」とは、インク等の記録用の液体を吐出する記録ヘッド４を備え、移動軸９Ａ、９Ｂ、９Ｃ、９Ｄ及び１０Ａ、１０Ｂ、１０Ｃ、１０Ｄに沿って移動することが可能な構造体（ユニット）を意味する。  
「保護キャップ」とは、使用されていない記録ヘッドユニット７Ａ、７Ｂ、７Ｃ、７Ｄの液体吐出部の乾燥を防止する保湿機能を備えるものである。また、該機能に加えて他の機能を備えているものであってもよい。
【００２１】
（１）ラインヘッドプリンターの概略構成（図１及び図２参照）
図示のラインヘッドプリンター１Ａは、被記録媒体Ｍとして最大幅が６ｍに及ぶようなロール状に巻かれた布帛を対象とする産業用捺染向けの大型のインクジェット捺染装置である。  
ここで「布帛」とは、綿、麻、絹、又はこれらを混合したもの等を原糸とする布や織物等の繊維製品を意味し、例えば、ブラウス、ワイシャツ、作業着などの衣料品の材料として用いられるブロード、シーチング等の繊維製品が挙げられる。また、化学繊維のレーヨン、キュプラ、ポリノジック、アセテート、トリアセテート、プロミックス、ナイロン、ポリエステル、アクリル、ポリ塩化ビニル、ポリウレタンであってもよい。コート紙等の表面コーティングがなされたもの、裏面剥離フィルム、レーヨン、合成紙等も使用可能である。
【００２２】
そして、本実施形態では、搬送部３として搬送用ベルト１５の表面に粘着層１６が形成された無端ベルトが使用されており、該無端ベルトには、搬送モーター３０によって駆動される駆動ローラー４１と、搬送用ベルト１５を介して該駆動ローラー４１の動力が伝達されて回転する従動ローラー４３とが設けられている。  
また、搬送部３の上流位置には、該上流位置に供給された被記録媒体Ｍである布帛を前記粘着層１６の表面に貼り付ける加圧ローラー４５が配設されており、搬送用ベルト１５の戻り経路の途中には、搬送用ベルト１５の表面に付着した汚れ等を取り除く洗浄部４７が配設されている。
【００２３】
また、前記搬送部３の上流位置には、ロール状に巻かれた被記録媒体Ｍをセットし、繰出しモーター３１から動力を受けて所定の方向に回転する繰出しローラー４９が設けられており、該繰出しローラー４９から繰り出された被記録媒体Ｍは、途中ガイドローラー５１に案内されて前述した加圧ローラー４５の設置部位に導かれるように構成されている。  
また、前記搬送部３の下流位置には、記録実行後の被記録媒体Ｍを搬送用ベルト１５から剥離し、途中ガイドローラー５３に案内されて供給される被記録媒体Ｍを巻き取る巻取りローラー５５が配設されている。該巻取りローラー５５は、巻取りモーター３２から動力を受けて所定の方向に回転するローラーで、巻取りローラー５５の近傍には、記録実行後の被記録媒体Ｍを適宜の長さで切断するカッター５７が設けられている。
【００２４】
記録実行部５は、前述したように幅方向Ｂに並んでラインヘッドを構成する複数の記録ヘッドユニット７Ａ、７Ｂ、７Ｃと、複数の記録ヘッドユニット７Ａ、７Ｂ、７Ｃ、７Ｄを前述した複数の移動軸９Ａ、９Ｂ、９Ｃ、９Ｄ及び１０Ａ、１０ｂ、１０Ｃ、１０Ｄに沿って幅方向Ｂに個別に往復移動させるキャリッジモーター２６（図６）と、各記録ヘッドユニット７Ａ、７Ｂ、７Ｃ、７Ｄの複数の記録ヘッド４に対して各色のインク等の記録用の液体を供給する図示しない液体貯溜タンク、液体供給チューブ等を備えることによって一例として構成されている。
【００２５】
また、前記移動軸９Ａ、９Ｂ、９Ｃ、９Ｄ及び１０Ａ、１０ｂ、１０Ｃ、１０Ｄの長さは、記録ヘッドユニット７Ａ、７Ｂ、７Ｃ、７Ｄが前述した記録実行領域Ｄと、保護キャップ１３Ａ、１３Ｂ、１３Ｃ、１３Ｄが設けられているその右外方の領域Ｅとの間を行き来できる長さに設定されている。  
また、各保護キャップ１３Ａ、１３Ｂ、１３Ｃ、１３Ｄは、図示しない駆動機構によって各記録ヘッドユニット７Ａ、７Ｂ、７Ｃ、７Ｄの液体吐出面に当接して液体吐出部の乾燥を防止する覆い位置と、該液体吐出面から離間して各記録ヘッドユニット７Ａ、７Ｂ、７Ｃ、７Ｄの自由な移動を可能にする開放位置と、を切り換えることができるように一例として構成されている。
【００２６】
（２）ラインヘッドプリンターの電気的な構成（図６参照）
次に、本実施形態のラインヘッドプリンター１Ａにおける電気的な構成について説明する。  
図６は、本実施形態のラインヘッドプリンター１Ａの電気的な構成を表すブロック図である。制御部２０には、ラインヘッドプリンター１Ａの全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と、接続されている。また、ＣＰＵ２１は、システムバス２２を介して、記録ヘッド４を駆動するためのヘッド駆動部２５と接続されている。
【００２７】
また、ＣＰＵ２１は、システムバス２２を介して、キャリッジモーター２６、洗浄用移動モーター２７、搬送モーター３０、繰出しモーター３１及び巻取りモーター３２を駆動させるためのモーター駆動部１９と接続されている。  
ここで、キャリッジモーター２６は、複数の記録ヘッド４を備える記録ヘッドユニット７Ａ、７Ｂ、７Ｃを搭載した図示しないキャリッジを移動させるためのモーターである。また、洗浄用移動モーター２７は、記録ヘッド４をクリーニングするためにヘッドクリーニング部７２を移動させるためのモーターである。また、搬送モーター３０は、前述した搬送部３に設けられる駆動ローラー４１を駆動するためのモーターである。また、繰出しモーター３１は、被記録媒体Ｍがセットされた、繰出しローラー４９を繰出し方向に回転させるための駆動モーターである。また、巻取りモーター３２は、巻取りローラー５５を巻取り方向に回転させるための駆動モーターである。
【００２８】
更に、ＣＰＵ２１は、ラインヘッドプリンター１Ａに設けられたモニター３５及びコントロールパネル３６と、記録データ等をＰＣ等の外部装置から入力する等のためのインターフェース３４と、データ及び信号の送受信を行うための入出力部３３と接続されている。
【００２９】
（３）ラインヘッドプリンターの具体的構成と４つの記録モード（図１乃至図７参照）
本実施形態では、記録ヘッドユニット７Ａ、７Ｂ、７Ｃ、７Ｄは４つ設けられており、これらの記録ヘッドユニット７Ａ、７Ｂ、７Ｃ、７Ｄの幅方向Ｂにおける記録作用長（ノズル列の長さ）はほぼ同一の寸法に設定されている。また、本実施形態のラインヘッドプリンター１Ａに使用できる被記録媒体Ｍの最大幅は、前記記録ヘッドユニット７Ａ、７Ｂ、７Ｃ、７Ｄの三つ分に対応している。即ち、当該最大幅の被記録媒体Ｍに対して例えば記録ヘッドユニット７Ａ、７Ｂ、７Ｃを使用して通常の記録を行う場合には、残りの記録ヘッドユニット７Ｄが余り、当該記録ヘッドユニット７Ｄを故障等が生じた場合に使用する予備の記録ヘッドユニットとして使用できるように構成されている。
【００３０】
（Ａ）第１記録モード（図１）
具体的には、図７に表すように制御部２０で行う記録動作の実行モードの一つとして第１記録モード６１が設けられている。該第１記録モード６１は、前記記録ヘッドユニット７Ａ、７Ｂ、７Ｃ、７Ｄの一つ以上を除いて他の記録ヘッドユニット７Ａ、７Ｂ、７Ｃ、７Ｄにより記録動作を実行する記録モードである。  
第１記録モード６１では、図１に表すように例えば記録ヘッドユニット７Ａ、７Ｂ、７Ｃを記録実行領域Ｄにおいて幅方向Ｂに並ぶように位置させて記録動作を実行させる。一方、残りの記録ヘッド７Ｄは、前記記録実行領域Ｄの右外方の領域Ｅに位置させて保護キャップ１３Ｄを覆い位置に移動させ保湿状態で待機させておく。
【００３１】
そして、このように構成される第１記録モード６１を採用した場合には、必要な数（図示の実施形態では三つ）の記録ヘッドユニット７Ａ、７Ｂ、７Ｃによりラインヘッドを構成し、残りの記録ヘッドユニット７Ｄを予備の記録ヘッドユニットとし、記録動作を実行することができる。  
従って、使用中の記録ヘッドユニット７Ａ、７Ｂ、７Ｃの一つに故障等が発生した場合に、前記予備の記録ヘッドユニット７Ｄに換えて記録を続けることができる。
【００３２】
（Ｂ）第２記録モード（図３（Ａ）（Ｂ））
また、図７に表すように制御部２０で行う記録動作の実行モードの一つとして第２記録モード６２が設けられている。該第２記録モード６２は、前記記録ヘッドユニット７Ａ、７Ｂ、７Ｃ、７Ｄを前記移動方向において同じ位置に複数配置して記録動作を実行する記録モードである。  
第２記録モード６２では、図３（Ａ）に表すように幅の狭い被記録媒体Ｍに対して、例えばすべての記録ヘッドユニット７Ａ、７Ｂ、７Ｃ、７Ｄを記録実行領域Ｄの同じ位置に位置させて、一つの記録ヘッドユニットの記録作用長分の幅の範囲で搬送方向Ａに４つの記録ヘッド４による記録を行うことが可能である。そして、このような態様で記録動作を実行した場合には、吐出する液体の密度を４倍に高めて画像を濃くすることが可能になり、吐出する液体の密度を高めるために記録速度を落とすこともない。
【００３３】
また、第２記録モード６２では、図３（Ｂ）に表すように、被記録媒体Ｍの幅方向Ｂの一部の範囲（例えば記録ヘッドユニット７Ｂが位置している範囲）に、吐出する液体の密度を高めて画像を濃くしたい部分がある場合に、予備の記録ヘッドユニット７Ｄを当該部分に重ねて配置した状態で記録を実行することが可能である。そして、このような態様で記録動作を実行した場合には、前記一部の範囲に吐出する液体の密度を高めて画像を濃くすることが可能になり、吐出する液体の密度を高めるために記録速度を落とすこともない。
【００３４】
（３）第３記録モード（図４（Ａ）（Ｂ））
また、図７に表すように制御部２０で行う記録動作の実行モードの一つとして第３記録モード６３が設けられている。該第３記録モード６３は、前記記録ヘッドユニット７Ａ、７Ｂ、７Ｃの一つ以上に故障等が発生した場合に、故障等が発生していない他の記録ヘッドユニット７Ｄにより記録動作を実行する記録モードである。  
第３記録モード６３では、図４（Ａ）に表すように例えば記録ヘッドユニット７Ｃに故障等が発生した場合に、記録ヘッドユニット７Ｃの位置はそのままで、予備の記録ヘッドユニット７Ｄを前記記録ヘッドユニット７Ｃの位置に移動させて記録動作を実行することが可能である。そして、このような態様で記録動作を実行した場合には、記録ヘッドユニット７Ｃの故障等によって記録動作を中断することなく、予備の記録ヘッドユニット７Ｄの活用によって当該記録動作を継続することが可能になる。従って、記録ヘッドユニット７Ａ、７Ｂ、７Ｃに故障等が発生した場合の負担を軽減でき、生産性の低下を低減することが可能になる。
【００３５】
また、第３記録モード６３では、図４（Ｂ）に表すように例えば記録ヘッドユニット７Ｃに故障等が発生した場合に、当該故障等が発生した記録ヘッドユニット７Ｃを前記保護キャップ１３Ｃの存する記録実行領域Ｄの右外方の領域Ｅに移動させると共に、予備の記録ヘッドユニット７Ｄを記録ヘッドユニット７Ｃが記録実行中、当初位置していた位置に移動させて記録動作を実行することが可能である。  
そして、このような態様で記録動作を実行した場合には、故障等が発生した記録ヘッドユニット７Ｃが既にメンテナンスが行える右外方の領域Ｅに移動しているから、故障等が発生した記録ヘッドユニット７Ｃの修理、交換等のメンテナンス作業を容易に行うことができる。また、上記メンテナンス作業と同時に記録動作を継続して実行できるから生産性の低下も低減される。
【００３６】
（４）第４記録モード（図５（Ａ）〜（Ｄ））
また、図７に表すように制御部２０で行う記録動作の実行モードの一つとして第４記録モード６４が設けられている。該第４記録モード６４は、記録実行の際に使用しない記録ヘッドユニット７Ａ、７Ｂ、７Ｃ、７Ｄがある場合には、記録動作の実行に使用する記録ヘッドユニット７Ａ、７Ｂ、７Ｃ、７Ｄの組み合わせを変える記録モードである。  
具体的には、第４記録モード６４では、図５（Ａ）に表すように当該記録ヘッドユニット７Ａ、７Ｂ、７Ｃの三つで記録動作を実行し、記録ヘッドユニット７Ｄを記録動作の実行に使用していなかった場合に、所定時間ないし所定回数ごと、図５（Ｂ）（Ｃ）（Ｄ）に表すように記録動作の実行に使用する記録ヘッドユニット７Ａ、７Ｂ、７Ｃ、７Ｄの組み合わせを変えて記録動作を実行することが可能である。そして、このような態様で記録動作を実行した場合には、記録ヘッドユニット７Ａ、７Ｂ、７Ｃ、７Ｄの使用頻度の偏りを抑制してバランスよくすべての記録ヘッドユニット７Ａ、７Ｂ、７Ｃ、７Ｄを使用することが可能になる。
【００３７】
尚、以上述べた第１から第４の記録モード６１、６２、６３、６４は、直接的には記録動作に属し、該記録動作の一部として実行されるが、上述したように記録ヘッドユニット７Ａ、７Ｂ、７Ｃ、７Ｄの移動を伴うため、キャリッジモーター２６を使用した移動動作や搬送モーター３０を使用した搬送用ベルト１５の移動動作とも密接に関連している。  
従って、図７中、双方向の矢印で示すように制御部２０で行う記録動作と移動動作は、それぞれ単独で独立して実行されるのではなく、両者が密接に関連して連携することによって実行される。また、前記右外方の領域Ｅ等で必要に応じて行われる図７中破線で表すメンテナンス動作も上記記録動作と移動動作に組み合わさって、互いに連携してその動作が実行される。
【００３８】
◆◆実施形態２◆◆（図８から図１０参照）
図８から図１０に基いて本発明の実施形態２に係るラインヘッドプリンター１Ｂの構成を説明する。  
ラインヘッドプリンター１Ｂは、複数の記録ヘッドユニット７Ａ、７Ｂ、７Ｃ、７Ｄの記録ヘッド４をクリーニングするヘッドクリーニング部７２を備えている点で実施形態１に係るラインヘッドプリンター１Ａと相違しており、その他の構成については実施形態１と同様の構成を有している。従って、ここでは実施形態１と同様の構成については説明を省略し、実施形態２において新たに備えたヘッドクリーニング部７２の構成とそのクリーニング動作及びその作用、効果を中心に説明する。
【００３９】
図８に表すように本実施形態では、記録非実行状態の記録ヘッドユニット７Ａ、７Ｂ、７Ｃ、７Ｄを個別に覆って保護可能な複数の保護キャップ１３Ａ、１３Ｂ、１３Ｃ、１３Ｄが存する前記右外方の領域Ｅと記録実行領域Ｄを挟んで反対側の左外方の領域Ｆにクリーニング部７１が設けられている。  
このクリーニング部７１は、複数の記録ヘッドユニット７Ａ、７Ｂ、７Ｃ、７Ｄの各移動軸９Ａ、９Ｂ、９Ｃ、９Ｄ及び１０Ａ、１０Ｂ、１０Ｃ、１０Ｄと交差する方向（搬送方向Ａに沿う方向）に設けられた一組のガイド７３、７５と、該ガイド７３、７５に案内されてガイド７３、７５の伸長方向に位置する複数の記録ヘッドユニット７Ａ、７Ｂ、７Ｃ、７Ｄの各クリーニング位置７７Ａ、７７Ｂ、７７Ｃ、７７Ｄに移動して位置することが可能なヘッドクリーニング部７２と、該ヘッドクリーニング部７２の移動のため駆動源となる洗浄用移動モーター２７（図６）を主構成要素として備えている。
【００４０】
図８はヘッドクリーニング部７２が記録ヘッドユニット７Ｂに対応するクリーニング位置７７Ｂに移動して位置している状態を表している。図９及び図１０は、ヘッドクリーニング部７２が記録ヘッドユニット７Ｃに対応するクリーニング位置７７Ｃ移動して位置している状態で、記録ヘッド４の液体吐出面をワイパーブレード７６によってクリーニングしている状態を表している。  
図９（Ａ）はその要部概略拡大平面図であり、図９（Ｂ）は同要部拡大正面図である。尚、図９において図面を解り易くするために、クリーニング位置に移動したヘッドクリーニング７２を破線で示してある。図１０は同要部概略側断面図である。ワイパーブレード７６は記録ヘッドユニット７Ｃの液体吐出面に対して公知の機構（図示ぜず）によって進退可能に構成されている。  
ここでは、ヘッドクリーニング部７２は、記録ヘッドユニット７Ａ、７Ｂ、７Ｃ、７Ｄが各移動軸に沿って各クリーニング位置７７Ａ、７７Ｂ、７７Ｃ、７７Ｄに移動する際に、そのクリーニング位置（図９及び図１０ではクリーニング位置７７Ｃ）に位置しているヘッドクリーニング部７２の進出状態にあるワイパーブレード７６によって前記液体吐出面を払拭するように構成されている。  
尚、ヘッドクリーニング部７２としては、クリーニング位置７７Ａ、７７Ｂ、７７Ｃ、７７Ｄに移動してくる各記録ヘッドユニット７Ａ、７Ｂ、７Ｃ、７Ｄにおける液体吐出面に当接して、該液体吐出面に付着したインク滴や汚れを拭き取る払拭布（図示せず）やワイパーブレード７６等の払拭部、或いは該記録ヘッドユニット７Ａ、７Ｂ、７Ｃ、７Ｄの液体吐出口に詰まった液体や固形物を吸引して除去する吸引部（図示せず）、或いは吸引の代わりに、記録ヘッド４内の液体を加圧することによって、液体吐出口に詰まった液体や固形物を記録ヘッドから除去する場合は、ヘッドクリーニング部７２としては、クリーニング位置７７Ａ、７７Ｂ、７７Ｃ、７７Ｄに移動してくる各記録ヘッドユニット７Ａ、７Ｂ、７Ｃ、７Ｄから該加圧によって排出される液体を受ける液体受部（図示せず）のいずれかを備えるもの、あるいは前記払拭部、吸引部、液体受部のうちのいずれか２つ、またはすべてを備えるものが適用可能である。
【００４１】
≪ヘッドクリーニング部の作用≫
本実施形態によれば、ヘッドクリーニング部７２は、各移動軸９Ａ、９Ｂ、９Ｃ、９Ｄ及び１０Ａ、１０Ｂ、１０Ｃ、１０Ｄと交差する方向に設けられたガイド７３、７５に沿って移動し、複数の記録ヘッドユニット７Ａ、７Ｂ、７Ｃ、７Ｄの各クリーニング位置７７Ａ、７７Ｂ、７７Ｃ、７７Ｄに位置することが可能に構成されている。従って、複数の記録ヘッドユニット７Ａ、７Ｂ、７Ｃ、７Ｄ毎にヘッドクリーニング部７２を設ける必要がない。即ち、該ヘッドクリーニング部７２を複数の記録ヘッドユニット７Ａ、７Ｂ、７Ｃ、７Ｄに対して共用化することができるので、ラインヘッドプリンターにおける装置の大型化と高コスト化を抑制することができる。  
また本実施形態によれば、記録ヘッドユニット７Ａ、７Ｂ、７Ｃが移動軸９Ａ、９Ｂ、９Ｃ及び１０Ａ、１０Ｂ、１０Ｃに沿って前記クリーニング位置７７Ａ、７７Ｂ、７７Ｃに移動する際に前記払拭部であるワイパーブレード７６によって液体吐出面が払拭される。即ち、払拭部であるワイパーブレード７６をクリーニング位置に位置させて、記録ヘッドユニット７Ａ、７Ｂ、７Ｃを前記移動軸に沿って移動するだけで払拭を行うことができ、ヘッドクリーニング部７２の構造を単純化することができる。
【００４２】
そして、このようなヘッドクリーニング部７２を備える本実施形態に係るラインヘッドプリンター１Ｂによっても前述した実施形態１に係るラインヘッドプリンター１Ａと同様の作用、効果が発揮でき、更に本実施形態にあっては、単一のヘッドクリーニング部７２を使用して複数の記録ヘッドユニット７Ａ、７Ｂ、７Ｃ、７Ｄに対してクリーニングを行うことができるから、ヘッドクリーニング部７２の設置に伴う部品点数の増加やラインヘッドプリンター１Ｂの大型化を抑制することが可能になる。
【００４３】
◆◆実施形態３◆◆（図１１参照）
実施形態３に係るラインヘッドプリンター１Ｃは、前記ヘッドクリーニング部７２の配置が前記実施形態２に係るラインヘッドプリンター１Ｂと相違するだけで、その他の構成については前記実施形態２と同様の構成を有している。従って、ここでは前記実施形態２と同様の構成については説明を省略し、実施形態３で採用したヘッドクリーニング部７２の配置とその作用、効果を中心に説明する。
【００４４】
即ち、図１１に示すように本実施形態では、上記ヘッドクリーニング部７２が記録非実行状態の前記記録ヘッドユニット７Ａ、７Ｂ、７Ｃ、７Ｄを個別に覆って保護可能な複数の保護キャップ１３Ａ、１３Ｂ、１３Ｃ、１３Ｄが存する前記右外方の領域Ｅと記録実行領域Ｄに対して同じ側の一例として前記保護キャップ１３Ａ、１３Ｂ、１３Ｃ、１３Ｄに隣接する左方位置に配置されている。
【００４５】
そして、このような位置に配置されるヘッドクリーニング部７２を備える本実施形態に係るラインヘッドプリンター１Ｃによっても前述した実施形態２に係るラインヘッドプリンター１Ｂと同様の作用、効果が発揮でき、更に本実施形態にあっては、クリーニングが実施された記録ヘッドユニット７Ａ、７Ｂ、７Ｃ、７Ｄは、記録実行領域Ｄを横断することなく、保護キャップ１３が位置する領域に短時間で移動することが可能になる。従って、クリーニングを実行しても汚れが除去できなかった記録ヘッドユニット７Ａ、７Ｂ、７Ｃ、７Ｄがあったような場合に、当該ヘッドユニット７Ａ、７Ｂ、７Ｃ、７Ｄを保護キャップ１３Ａ、１３Ｂ、１３Ｃ、１３Ｄの存する領域に直ちに移動させて修理、交換等のメンテナンス作業を実施することが可能になる。
【００４６】
［他の実施形態］
本発明に係るラインヘッドプリンター１は、以上述べたような構成を有することを基本とするものであるが、本願発明の要旨を逸脱しない範囲内での部分的構成の変更や省略等を行うことも勿論可能である。
【００４７】
例えば、本発明のラインヘッドプリンター１は前述したような大型のインクジェット捺染装置に限らず、これより小型のインクジェット捺染装置に適用したり、用紙やフィルムを被記録媒体Ｍとする大型のインクジェットプリンター等に適用することが可能である。また、ラインヘッドを構成する記録ヘッドユニット７の数は、前記実施形態１〜３で採用した４つに限らず、２つ、３つあるいは５つ以上のものであっても構わない。また、各記録ヘッドユニット７Ａ、７Ｂ、７Ｃ、７Ｄごと設けられる移動軸９、１０は、前記実施形態１〜３で採用した２本ずつ設けられる構成に限らず、移動軸９、１０をいずれか１本にして他をガイド等にすることも可能である。
【００４８】
また、複数設けられる記録ヘッドユニット７Ａ、７Ｂ、７Ｃ、７Ｄの幅方向Ｂにおける記録作用長（ノズル列の長さ）は、前述した実施形態１で説明したようにすべて同じ記録作用長にする他、これらの一部またはすべてを異なる記録作用長のものに変更することが可能である。そして、この場合には、予備の記録ヘッドユニット７Ｄの記録作用長は、記録動作の実行に使用されている記録ヘッドユニット７Ａ、７Ｂ、７Ｃのうち記録作用長が最も長いものと同じ記録作用長にする。因みに、このように構成した場合には、記録作用長が最も長い記録ヘッドユニットが７Ａであった場合に、その記録ヘッドユニット７Ａに故障等が発生した場合、当該記録ヘッドユニット７Ａが担っていた記録作用長を予備の記録ヘッドユニット７Ｄによってカバーすることが可能になる。  
また、記録動作の実行に使用されている記録ヘッドユニット７Ａ、７Ｂ、７Ｃが一部オーバーラップした状態で使用されている場合には、そのオーバーラップ量を考慮して当該オーバーラップ量分短い記録作用長の記録ヘッドユニット７を予備の記録ヘッドユニット７Ｄとして使用することも可能である。
【００４９】
本発明は上記実施形態に限定されることなく、特許請求の範囲に記載した発明の範囲内での種々の変形が可能であり、それらも本発明の範囲内に含まれるものであることは言うまでもない。
【００５０】
以上、本発明について具体的な実施形態に基づいて詳述した。ここで本発明について、もう一度まとめて以下に説明する。  
本発明の第１の態様のラインヘッドプリンター１は、複数の記録ヘッドユニット７Ａ、７Ｂ、７Ｃ、７Ｄが並ぶことでラインヘッドを構成可能なラインヘッドプリンターであって、複数の記録ヘッドユニット７Ａ、７Ｂ、７Ｃ、７Ｄが被記録媒体Ｍの搬送方向Ａと交差する方向に個別に移動可能に設けられた複数の移動軸９、１０と、記録ヘッドユニット７Ａ、７Ｂ、７Ｃ、７Ｄの移動軸９、１０に沿う移動動作と被記録媒体Ｍへの記録動作を制御する制御部２０とを備え、記録ヘッドユニット７Ａ、７Ｂ、７Ｃ、７Ｄは、被記録媒体Ｍの最大幅を記録可能にする数より一つ以上多く設けられていることを特徴とする。  
ここで、「ラインヘッド」とは、記録実行時に記録ヘッドユニット７Ａ、７Ｂ、７Ｃ、７Ｄが被記録媒体Ｍの搬送方向Ａと交差する被記録媒体Ｍの幅方向Ｂには移動しないで並んでいる構造を言う。  
また、「記録ヘッドユニット」とは、インク等の記録用の液体を吐出する記録ヘッド４を備え、移動軸９、１０に沿って移動することが可能な構造体（ユニット）を意味する。
【００５１】
本態様によれば、記録ヘッドユニット７Ａ、７Ｂ、７Ｃ、７Ｄは、被記録媒体Ｍの最大幅を記録可能にする数より一つ以上多く設けられているので、記録ヘッドユニット７Ａ、７Ｂ、７Ｃの一つに故障が発生した場合においても、残りの記録ヘッドユニット７Ｄを使用することによって当該ラインヘッドプリンター１の稼働を停止することなく記録動作を継続することが可能になる。従って、ラインヘッドプリンター１における生産性の低下を抑制することができる。
【００５２】
本発明の第２の態様は、第１の態様のラインヘッドプリンター１において、記録非実行状態の記録ヘッドユニット７Ａ、７Ｂ、７Ｃ、７Ｄを個別に覆って保護可能な複数の保護キャップ１３Ａ、１３Ｂ、１３Ｃ、１３Ｄが記録実行領域Ｄ外に設けられていることを特徴とする。  
ここで「保護キャップ」とは、使用されていない記録ヘッドユニット７Ａ、７Ｂ、７Ｃ、７Ｄの液体吐出部の乾燥を防止する保湿機能を備えるものである。また、保湿機能に加えて保湿機能以外の他の機能を備えるものであってもよい。
【００５３】
本態様によれば、記録非実行状態の記録ヘッドユニット７Ａ、７Ｂ、７Ｃ、７Ｄを個別に覆って保護可能な複数の保護キャップ１３Ａ、１３Ｂ、１３Ｃ、１３Ｄが設けられているので、複数の記録ヘッドユニット７Ａ、７Ｂ、７Ｃ、７Ｄ内の記録動作の実行に使用していない記録ヘッドユニット７Ａ、７Ｂ、７Ｃ、７Ｄを保護キャップ１３Ａ、１３Ｂ、１３Ｃ、１３Ｄで保護しておくことができる。
【００５４】
本発明の第３の態様は、第１の態様又は第２の態様のラインヘッドプリンター１において、制御部２０は、記録ヘッドユニット７Ａ、７Ｂ、７Ｃの一つ以上を除いて他の記録ヘッドユニット７Ｄにより前記記録動作を実行する第１記録モード６１を有することを特徴とする。
【００５５】
本態様によれば、必要な数の記録ヘッドユニット７Ａ、７Ｂ、７Ｃによりラインヘッドを構成し、残りの記録ヘッドユニット７Ｄを予備の記録ヘッドユニットとし、記録動作を実行することができる。従って、使用中の記録ヘッドユニット７Ａ、７Ｂ、７Ｃの一つに故障等が発生した場合に、前記予備の記録ヘッドユニット７Ｄに換えて記録を続けることができる。
【００５６】
本発明の第４の態様は、第１の態様又は第２の態様のラインヘッドプリンター１において、制御部２０は、記録ヘッドユニット７Ａ、７Ｂ、７Ｃ、７Ｄを前記移動方向において同じ位置に複数配置して前記記録動作を実行する第２記録モード６２を有することを特徴とする。
【００５７】
本態様によれば、記録ヘッドユニット７Ａ、７Ｂ、７Ｃ、７Ｄを前記移動方向において同じ位置に複数配置して前記記録動作を実行することで、被記録媒体Ｍの幅方向Ｂのある部分に液体の吐出密度を高くして画像を濃くしたい場合に、予備の記録ヘッドユニット７Ｄを当該部分に配置することで容易に対応することができる。しかも液体の吐出密度を高めるに際して記録速度を落とすことなく実行できる。
【００５８】
本発明の第５の態様は、第１の態様から第４の態様のいずれか一つの態様のラインヘッドプリンター１において、制御部２０は、記録ヘッドユニット７Ａ、７Ｂ、７Ｃの一つ以上に故障等が発生した場合に、故障等が発生していない他の記録ヘッドユニット７Ｄにより前記記録動作を実行する第３記録モード６３を有することを特徴とする。
【００５９】
本態様によれば、制御部２０は、記録ヘッドユニット７Ａ、７Ｂ、７Ｃの一つ以上に故障が発生した場合に、故障等が発生していない他の記録ヘッドユニット７Ｄにより前記記録動作を実行する第３記録モード６３を有するので、故障等が発生した場合でも記録動作を継続でき、余裕を持って故障等が発生した記録ヘッドユニット７Ａ、７Ｂまたは７Ｃの修理、交換等のメンテナンス作業を行うことができる。従って、記録ヘッドユニット７Ａ、７Ｂ、７Ｃに故障等が発生した場合の負担を低減することができる。
【００６０】
本発明の第６の態様は、第５の態様のラインヘッドプリンター１において、第３記録モード６３は、前記故障等が発生した記録ヘッドユニット７Ａ、７Ｂ、７Ｃを保護キャップ１３Ａ、１３Ｂ、１３Ｃの位置に移動させることを特徴とする。
【００６１】
本態様によれば、第３記録モード６３は、前記故障等が発生した記録ヘッドユニット７Ａ、７Ｂまたは７Ｃを保護キャップ１３Ａ、１３Ｂまたは１３Ｃの存する位置に移動させるので、故障等が発生した記録ヘッドユニット７Ａ、７Ｂまたは７Ｃの修理、交換のためのメンテナンス作業を簡単に行うことができる。また、記録動作を継続した状態で同時に上記メンテナンス作業を行うことができる。
【００６２】
本発明の第７の態様は、第１の態様から第６の態様のいずれか一つの態様のラインヘッドプリンター１において、前記制御部２０は、記録実行の際に使用しない記録ヘッドユニット７Ａ、７Ｂ、７Ｃ、７Ｄがある場合に、記録動作の実行に使用する記録ヘッドユニット７Ａ、７Ｂ、７Ｃ、７Ｄの組み合わせを変える第４記録モード６４を有することを特徴とする。
【００６３】
本態様によれば、制御部２０は、記録動作の実行の際に使用しない記録ヘッドユニット７Ａ、７Ｂ、７Ｃ又は７Ｄがある場合に、記録動作の実行に使用する記録ヘッドユニット７Ａ、７Ｂ、７Ｃ、７Ｄの組み合わせを変える第４記録モード６４を有するので、記録ヘッドユニット７Ａ、７Ｂ、７Ｃ、７Ｄの使用頻度の偏りを抑制してバランスよくすべての記録ヘッドユニット７Ａ、７Ｂ、７Ｃ、７Ｄを使用することができる。
【００６４】
本発明の第８の態様は、第１の態様から第７の態様のいずれか一つの態様のラインヘッドプリンター１において、複数の記録ヘッドユニット７Ａ、７Ｂ、７Ｃ、７Ｄの記録ヘッド４をクリーニングするヘッドクリーニング部７２を備え、ヘッドクリーニング部７２は、前記複数の記録ヘッドユニット７Ａ、７Ｂ、７Ｃ、７Ｄの各移動軸９、１０と交差する方向に設けられたガイド７３、７５に沿って移動し、前記複数の記録ヘッドユニット７Ａ、７Ｂ、７Ｃ、７Ｄの各クリーニング位置７７Ａ、７７Ｂ、７７Ｃ、７７Ｄに位置することが可能に構成されていることを特徴とする。
【００６５】
本態様によれば、複数の記録ヘッドユニット７Ａ、７Ｂ、７Ｃ、７Ｄに対してクリーニングを行うことができる共通のヘッドクリーニング部７２を備えるので、ヘッドクリーニング部７２の設置に伴う部品点数の増加とラインヘッドプリンター１の大型化とを抑制することができる。
【００６６】
本発明の第９の態様は、第８の態様のラインヘッドプリンター１において、ヘッドクリーニング部７２は、記録非実行状態の記録ヘッドユニット７Ａ、７Ｂ、７Ｃ、７Ｄを個別に覆って保護可能な複数の保護キャップ１３Ａ、１３Ｂ、１３Ｃ、１３Ｄの位置と記録実行領域Ｄに対して反対側に設けられていることを特徴とする。  
本態様によれば、記録実行領域Ｄの右外方の領域Ｅと左外方の領域Ｆをバランスよく使用して保護キャップ１３Ａ、１３Ｂ、１３Ｃ、１３Ｄと、ヘッドクリーニング部７２を配置することが可能になる。
【００６７】
本発明の第１０の態様は、第８の態様のラインヘッドプリンター１において、前記ヘッドクリーニング部７２は、記録非実行状態の記録ヘッドユニット７Ａ、７Ｂ、７Ｃ、７Ｄを個別に覆って保護可能な複数の保護キャップ１３Ａ、１３Ｂ、１３Ｃ、１３Ｄの位置と記録実行領域Ｄに対して同じ側に設けられていることを特徴とする。  
本態様によれば、クリーニングを行った記録ヘッドユニット７Ａ、７Ｂ、７Ｃ、７Ｄを保護キャップ１３Ａ、１３Ｂ、１３Ｃ、１３Ｄの存する右外方の領域Ｅに移動させるのに際し、記録実行領域Ｄを横断させることがないから記録へッドユニット７Ａ、７Ｂ、７Ｃ、７Ｄの移動距離が短くてすむようになる。
【符号の説明】
【００６８】
１  ラインヘッドプリンター、３  搬送部、４  記録ヘッド、５  記録実行部
７  記録ヘッドユニット、９  移動軸、１０  移動軸、１３  保護キャップ
１５  搬送用ベルト、１６  粘着層、１９  モーター駆動部、２０  制御部
２１  ＣＰＵ、２２  システムバス、２３  ＲＯＭ、２４  ＲＡＭ
２５  ヘッド駆動部、２６  キャリッジモーター、２７  洗浄用移動モーター
３０  搬送モーター、  ３１  繰出しモーター、３２  巻取りモーター
３３  入出力部、３４  インターフェース、３５  モニター、
３６  コントロールパネル、４１  駆動ローラー、４３  従動ローラー
４５  加圧ローラー、４７  洗浄部、４９  繰出しローラー
５１  ガイドローラー、５３  ガイドローラー、５５  巻取りローラー
５７  カッター、６１  第１記録モード、６２  第２記録モード
６３  第３記録モード、６４  第４記録モード、７１  クリーニング部
７２  ヘッドクリーニング部、７３  ガイド、７５  ガイド
７７  クリーニング位置、Ａ  搬送方向、Ｂ  幅方向、Ｄ  記録実行領域
Ｅ  右外方の領域、Ｆ  左外方の領域、Ｍ  被記録媒体
【図１】
2016172377.tif 000003
【図２】
2016172377.tif 000004
【図３】
2016172377.tif 000005
【図４】
2016172377.tif 000006
【図５】
2016172377.tif 000007
【図６】
2016172377.tif 000008
【図７】
2016172377.tif 000009
【図８】
2016172377.tif 000010
【図９】
2016172377.tif 000011
【図１０】
2016172377.tif 000012
【図１１】
2016172377.tif 000013